(57)【特許請求の範囲】
【請求項１】
洗浄用ノズルのノズルヘッドの上面の先端側から基端側の方向に複数の噴出孔が連設され、前記複数の噴出孔から洗浄水をそれぞれ噴出可能な衛生洗浄装置において、
前記ノズルヘッドの上面の基端側に設けられた第１噴出孔に連通する第１水路と、前記ノズルヘッドの上面の先端側に設けられた第２噴出孔に連通する第２水路とを備え、
前記第１水路は、前記ノズルヘッドの下部に延設され、さらに前記ノズルヘッドの下部から略上方の前記第１噴出孔に延設され、
前記第２水路は、前記ノズルヘッドの上部に延設され、さらに前記第１噴出孔を迂回するようにして前記第２噴出孔に延設されていることを特徴とする衛生洗浄装置。
【請求項２】
前記ノズルヘッドの下部から略上方の前記第１噴出孔に延設される前記第１水路の終端部には、当該第１水路の一般径より小径の孔であるオリフィスが形成され、
前記オリフィスの入口は、前記略下方に向かって開設され、
前記オリフィスの入口の周縁には面取り部が形成されていることを特徴とする請求項１に記載の衛生洗浄装置。
【請求項３】
前記ノズルヘッドの下面は、当該下面側から前記オリフィスの入口に向かって略上方向に穿たれ、前記オリフィスの少なくとも面取り部を成形するための成形用の孔を有していることを特徴とする請求項２に記載の衛生洗浄装置。
【請求項４】
前記成形用の孔は、裏蓋部材により下方から塞がれるものであることを特徴とする請求項３に記載の衛生洗浄装置。
【請求項５】
前記ノズルヘッドの前記第１噴出孔より先端側の位置に第３噴出孔が設けられ、
前記ノズルヘッドの上部に延設され、さらに前記第１噴出孔を迂回するようにして前記第３噴出孔に延設される第３水路を備え、
前記第１水路は、前記ノズルヘッドの下部から前記第２水路と前記第３水路との間の隙間を通って、前記第１噴出孔に延設されていることを特徴とする請求項１、２、３または４に記載の衛生洗浄装置。
【請求項６】
前記ノズルヘッドに外嵌して当該ノズルヘッドを外部から覆うようにしたノズルカバーを備え、
前記ノズルカバーは、前記ノズルヘッドに外嵌した際に前記第１噴出孔、前記第２噴出孔または前記第３噴出孔の少なくとも１つを上方から覆うようにして、前記第１噴出孔、前記第２噴出孔または前記第３噴出孔の少なくとも１つから噴出した洗浄水を前記ノズルカバーで覆われていない前記第１噴出孔、前記第２噴出孔あるいは前記第３噴出孔へ導くようにしたものであることを特徴とする請求項５に記載の衛生洗浄装置。
【請求項７】
前記第１噴出孔は、お尻ハード洗浄用の噴出孔であることを特徴とする請求項１、２、３、４、５または６に記載の衛生洗浄装置。
【請求項８】
前記ノズルヘッドは、前記第１水路の終端部および前記第２水路の終端部が形成された水路部材と、前記第１噴出孔および前記第２噴出孔が形成された噴出孔部材とを有し、
前記噴出孔部材は、前記水路部材に上方から重ね合わせることで、前記第２水路の終端部を成す略Ｕ字状断面形状の水路溝の溝口を塞ぐものであることを特徴とする請求項１に記載の衛生洗浄装置。
【発明の詳細な説明】
【０００１】
【発明の属する技術分野】
本発明は、洗浄用ノズルのノズルヘッドの先端側から基端側の方向に複数の噴出孔が連設され、前記複数の噴出孔から洗浄水をそれぞれ噴出可能な衛生洗浄装置に関する。
【０００２】
【従来の技術】
従来、この種の衛生洗浄装置においては、図１０〜図１２に示すように、洗浄用ノズルのノズルヘッド１の先端側から基端側の方向に、ビデ洗浄用の噴出孔２、やわらか洗浄用の噴出孔３および、お尻洗浄用の噴出孔４が連設され、ノズルヘッド１内には各噴出孔２〜４に連通する３つの水路がそれぞれ延ばされている。ビデ洗浄用の噴出孔２に連通するビデ洗浄用の水路５および、やわらか洗浄用の噴出孔３に連通するやわらか洗浄用の水路６は、ノズルヘッド１の下部にそれぞれ形成されている一方、お尻洗浄用の噴出孔４に連通するお尻洗浄用の水路７は、ノズルヘッド１の上部に形成される。
【０００３】
ノズルヘッド１の上部に形成されるお尻洗浄用の水路７は、その終端部７ａが略上方へ曲がっていて、前記お尻洗浄用の噴出孔４に連通している。同じく、ビデ洗浄用の水路５およびやわらか洗浄用の水路６は、ノズルヘッド１の下部にそれぞれ延ばされ、その各終端部５ａ、６ａが略上方へ曲がっていて、前記ビデ洗浄用の噴出孔２およびやわらか洗浄用の噴出孔３にそれぞれ連通している。
【０００４】
【発明が解決しようとする課題】
しかしながら、従来の衛生洗浄装置では、お尻洗浄用の水路７はノズルヘッド１の上部に延ばされているので、前記略上方へ曲がってからお尻洗浄用の噴出孔４に延ばされるまでの区間であるお尻洗浄用の水路７の終端部７ａの長さが十分にとれず、お尻洗浄用の水路７の終端部７ａの区間で洗浄水の流れの乱れを抑えることができないで流れが不安定になり、洗浄水がお尻洗浄用の噴出孔４から所定方向に対して逸れた方向に噴出したり、また、噴出する洗浄水が分散し過ぎて、局部に強く安定して当たらなかったりして、使用感の点で改良の余地があるという問題点があった。
【０００５】
本発明は、このような従来の問題点に着目してなされたもので、ノズルヘッドの基端側に設けられる第１噴出孔から洗浄水が所定方向に噴出し、かつ、噴出する洗浄水が分散し過ぎることがなく、所望の強さで安定して局部に当たるようにして、使用感を高めることができる衛生洗浄装置を提供することを目的としている。
【０００６】
【課題を解決するための手段】
かかる目的を達成するための本発明の要旨とするところは、次の各項の発明に存する。
［１］洗浄用ノズル（４０）のノズルヘッド（４２）の上面の先端側から基端側の方向に複数の噴出孔が連設され、前記複数の噴出孔から洗浄水をそれぞれ噴出可能な衛生洗浄装置において、
前記ノズルヘッド（４２）の上面の基端側に設けられた第１噴出孔（４５１）に連通する第１水路（４５）と、前記ノズルヘッド（４２）の上面の先端側に設けられた第２噴出孔（４６１）に連通する第２水路（４６）とを備え、
前記第１水路（４５）は、前記ノズルヘッド（４２）の下部に延設され、さらに前記ノズルヘッド（４２）の下部から略上方の前記第１噴出孔（４５１）に延設され、
前記第２水路（４６）は、前記ノズルヘッド（４２）の上部に延設され、さらに前記第１噴出孔（４５１）を迂回するようにして前記第２噴出孔（４６１）に延設されていることを特徴とする衛生洗浄装置。
【０００７】
［２］前記ノズルヘッド（４２）の下部から略上方の前記第１噴出孔（４５１）に延設される前記第１水路の終端部（４５２）には、当該第１水路（４５）の一般径より小径の孔であるオリフィス（４５３）が形成され、
前記オリフィス（４５３）の入口（４５４）は、前記略下方に向かって開設され、
前記オリフィス（４５３）の入口（４５４）の周縁には面取り部（４５５）が形成されていることを特徴とする［１］に記載の衛生洗浄装置。
【０００８】
［３］前記ノズルヘッド（４２）の下面は、当該下面側から前記オリフィス（４５３）の入口（４５４）に向かって略上方向に穿たれ、前記オリフィス（４５３）の少なくとも面取り部（４５５）を成形するための成形用の孔（４５６）を有していることを特徴とする［２］に記載の衛生洗浄装置。
【０００９】
［４］前記成形用の孔（４５６）は、裏蓋部材（７０）により下方から塞がれるものであることを特徴とする［３］に記載の衛生洗浄装置。
【００１０】
［５］前記ノズルヘッド（４２）の前記第１噴出孔（４５１）より先端側の位置に第３噴出孔（４７１）が設けられ、
前記ノズルヘッド（４２）の上部に延設され、さらに前記第１噴出孔（４５１）を迂回するようにして前記第３噴出孔（４７１）に延設される第３水路（４７）を備え、
前記第１水路（４５）は、前記ノズルヘッド（４２）の下部から前記第２水路（４６）と前記第３水路（４７）との間の隙間を通って、前記第１噴出孔（４５１）に延設されていることを特徴とする［１］、［２］、［３］または［４］に記載の衛生洗浄装置。
【００１１】
［６］前記ノズルヘッド（４２）に外嵌して当該ノズルヘッド（４２）を外部から覆うようにしたノズルカバー（４１）を備え、
前記ノズルカバー（４１）は、前記ノズルヘッド（４２）に外嵌した際に前記第１噴出孔（４５１）、前記第２噴出孔（４６１）または前記第３噴出孔（４７１）の少なくとも一つを上方から覆うようにして、前記第１噴出孔（４５１）、前記第２噴出孔（４６１）または前記第３噴出孔（４７１）の少なくとも一つから噴出した洗浄水を前記ノズルカバー（４１）で覆われていない前記第１噴出孔（４５１）、前記第２噴出孔（４６１）あるいは前記第３噴出孔（４７１）へ導くようにしたものであることを特徴とする［５］に記載の衛生洗浄装置。
【００１２】
［７］前記第１噴出孔（４５１）は、お尻ハード洗浄用の噴出孔であることを特徴とする［１］、［２］、［３］、［４］、［５］または［６］に記載の衛生洗浄装置。
【００１３】
［８］前記ノズルヘッド（４２）は、前記第１水路の終端部（４５２）および前記第２水路の終端部（４６２）が形成された水路部材（４２２）と、前記第１噴出孔（４５１）および前記第２噴出孔（４６１）が形成された噴出孔部材（４２３）とを有し、
前記噴出孔部材（４２３）は、前記水路部材（４２２）に上方から重ね合わせることで、前記第２水路の終端部（４６２）を成す略Ｕ字状断面形状の水路溝（４６６）の溝口を塞ぐものであることを特徴とする［１］に記載の衛生洗浄装置。
【００１４】
次に本発明の作用を説明する。
洗浄用ノズル（４０）のノズルヘッド（４２）の上面の基端側に第１噴出孔（４５１）が設けられ、ノズルヘッド（４２）の上面の先端側に第２噴出孔（４６１）が設けられている。
【００１５】
衛生洗浄装置の使用時において、ノズルヘッド（４２）の下部に延設された第１水路（４５）を流れる洗浄水は、やがて流れる方向を略上方に変え第１噴出孔（４５１）に流入し、第１噴出孔（４５１）から噴出するようになる。
【００１６】
このように洗浄水は、ノズルヘッド（４２）の下部から略上方の第１噴出孔（４５１）に向かって流れるようになるため、ノズルヘッド（４２）の下部から第１噴出孔（４５１）に設けられたノズルヘッド（４２）の上面までの区間を長めにとることができる。その長めの区間である第１水路（４５）の終端部（４５２）の中で、例えば、長めのオリフィスを形成することができ、洗浄水の流れの乱れを十分に抑えることが可能になる。
【００１７】
それにより、洗浄水が第１噴出孔（４５１）から所定方向に噴出し、かつ、噴出する洗浄水が分散し過ぎることがなく、所望の強さで局部に当たるようになり、使用感を高めることができる。ノズルヘッド（４２）の基端側に設けられた第１噴出孔（４５１）は例えばお尻洗浄用の噴出孔であり、そのお尻洗浄用の噴出孔から所定方向に十分な強さの洗浄水が噴出するようになる。
【００１８】
一方、ノズルヘッド（４２）の上部に形成された第２水路（４６）を流れる洗浄水は、ノズルヘッド（４２）の上面にある第１噴出孔（４５１）を迂回するように流れ、やがて、第２噴出孔（４６１）に流入し、第２噴出孔（４６１）から噴出するようになる。
【００１９】
第１水路（４５）の終端部（４５２）にはオリフィス（４５３）が形成されている。オリフィス（４５３）を形成することによって、洗浄水を第１噴出孔（４５１）から所定方向に噴出させたり、所定の強さで噴出させることができる。
【００２０】
また、そのオリフィス（４５３）の入口（４５４）の周縁には面取り部（４５５）が施されているので、洗浄水がオリフィス（４５３）内に滑らかに流れ込み、オリフィス（４５３）の入口（４５４）の周縁の近傍において、洗浄水の流れが乱れるのを抑えることができる。
【００２１】
洗浄用ノズル（４０）のノズル軸に沿って延ばされる第１水路（４５）と、略上方に延びる第１水路（４５）の終端部（４５２）に形成されるオリフィス（４５３）とは、互いに略直交するため、同じくノズル軸に沿う方向で進出する第１水路（４５）成形用のコアあるいは、上方から進出するオリフィス（４５３）成形用のコアによって、オリフィス（４５３）の入口（４５４）の周縁部に面取り部（４５５）を成形するのは難しいが、ノズルヘッド（４２）の下面に、オリフィス（４５３）の入口（４５４）に向かって略上方向に成形用の孔（４５６）が穿設されているため、その成形用の孔（４５６）を形成するためのコアによって面取り部（４５５）を容易に成形することができる。
【００２２】
このように、成形用の孔（４５６）は、少なくとも面取り部（４５５）を成形するための孔であって、完成品の機能としては不要なものであるから、面取り部（４５５）の成形後は、裏蓋部材（７０）により下方から塞がれる。
【００２３】
以上は、ノズルヘッド（４２）の第１噴出孔（４５１）および第２噴出孔（４６１）が設けられるものであるが、ノズルヘッド（４２）の第１噴出孔（４５１）より先端側の位置に第３噴出孔（４７１）が設けられるものでは、ノズルヘッド（４２）の上部に延設された第３水路（４７）が第１噴出孔（４５１）を迂回してさらに第３噴出孔（４７１）に延設されている。それにより、第１水路（４５）を、前記ノズルヘッド（４２）の下部から前記第２水路（４６）と前記第３水路（４７）との間の隙間を通って、第１噴出孔（４５１）に延設することができ、同じく、第１水路（４５）の終端部（４５２）を長くすることができ、第１水路（４５）の終端部（４５２）を流れる洗浄水の乱れを抑えることができる。
【００２４】
このような、ノズルカバー（４１）はノズルヘッド（４２）に外嵌してノズルヘッド（４２）を外部から覆うものであるが、ノズルヘッド（４２）に第１噴出孔（４５１）、第２噴出孔（４６１）および第３噴出孔（４７１）が設けられるものでは、ノズルカバー（４１）にも、第１噴出孔（４５１）〜第３噴出孔（４７１）に対応して、３つの貫通孔が設けられている。
【００２５】
しかしながら、ノズルヘッド（４２）に外嵌するノズルカバー（４１）が、第１噴出孔（４５１）、第２噴出孔（４６１）または第３噴出孔（４７１）の少なくとも一つを上方から覆うようにすれば、第１噴出孔（４５１）、第２噴出孔（４６１）または第３噴出孔（４７１）の少なくとも一つから噴出した洗浄水が、ノズルカバー（４１）に遮られて上方へ噴出せず、ノズルカバー（４１）で覆われていない第１噴出孔（４５１）、第２噴出孔（４６１）あるいは第３噴出孔（４７１）へ導かれるようになる。
【００２６】
このように導かれる洗浄水で、第１噴出孔（４５１）、第２噴出孔（４６１）または第３噴出孔（４７１）を洗浄することができる。
【００２７】
また、第１噴出孔（４５１）、第２噴出孔（４６１）および第３噴出孔（４７１）の３つを使い分ける第１の仕様のものと、第２噴出孔（４６１）または第３噴出孔（４７１）の一方と第１噴出孔（４５１）との２つを使い分ける第２の仕様のものとを構成するときに、ノズルカバー（４１）以外を共用部品として用いることができる。
【００２８】
ノズルヘッド（４２）は水路部材（４２２）と噴出孔部材（４２３）とを有している。水路部材（４２２）には第１水路（４５）の終端部（４５２）および第２水路の終端部（４６２）が形成され、噴出孔部材（４２３）には第１噴出孔（４５１）および第２噴出孔（４６１）が形成されている。
【００２９】
具体的には、水路部材（４２２）には、略Ｕ字状断面形状の水路溝（４６６）である第２水路の終端部（４６２）が形成され、水路溝（４６６）の溝口が開いていて、このままでは第２水路（４６）は水路としての機能を果たさないが、水路部材（４２２）に上方から重ね合わせられる噴出孔部材（４２３）によって、前記水路溝（４６６）の溝口が塞がれ、水路としての機能を有するようになる。
【００３０】
【発明の実施の形態】
以下、図面に基づき本発明の一実施の形態を説明する。
図２は衛生洗浄装置の斜視図である。
図２に示すように衛生洗浄装置１０は、便器の便座後部に取付けられ、そのケーシング本体１０ａ内に使用者の局部を洗浄するための関連器機が内装されている。かかる衛生洗浄装置１０におけるノズル機構３０は、前記ケーシング本体１０ａの正面側に水または温水である洗浄水を噴出するための洗浄用ノズル４０をノズル機構３０の本体３１で支持して成る。
【００３１】
洗浄用ノズル４０は、ケーシング本体１０ａ内にて前後に、正確には後方から前方にかけ下降して延びるように支持され、その軸心方向に後述する駆動モータ６０によって位置調整可能に配設されている。洗浄用ノズル４０の後端側には給水源（図示せず）に連通接続するためのチューブを繋ぐ給水口４５が１つ突設されている。
【００３２】
図６は洗浄用ノズルの部分分解斜視図である。図６に示すように、洗浄用ノズル４０は、ノズルカバー４１にノズルヘッド４２を嵌め込んで成り、ノズルヘッド４２内には複数の水路が形成され、各水路が所定の噴出孔にそれぞれ通じている。水路および噴出孔については後で詳細に説明する。
【００３３】
図３は同じく衛生洗浄装置の給水路の概念図であり、図４は同じく衛生洗浄装置のノズル機構の斜視図である。図２〜図４に示すように、ケーシング本体１０ａ内には、洗浄用ノズル４０に温水を供給するための温水路であるメイン路１１１が設けられ、メイン路１１１には熱交換ユニット２０、流量調節ユニット１２０、および流路切替弁５０が接続されている。熱交換ユニット２０は貯湯タンク２１内にヒータ２２を設けたものである。また、ケーシング本体１０ａ内には洗浄用ノズル４０の表面に向けてノズル洗浄用の水を供給するための水路であるバイパス路１１２が設けられている。ケーシング本体１０ａには、前記熱交換ユニット２０等の他に関連機器として加熱器、温度制御手段、乾燥器、脱臭器、および暖房器等が内装されている。
【００３４】
図４および図５に示すように、ノズル機構３０は、洗浄用ノズル４０と共に移動可能なナット部材４１０と、ノズル機構３０の本体３１に支持され、ナット部材４１０に対して相対的に回転することにより、洗浄用ノズル４０を所定位置に駆動可能なスクリュー部材４２０とを備えている。
【００３５】
また、ナット部材４１０またはスクリュー部材４２０の少なくとも一方に回転力を供給するための動力源である駆動モータ６０が備えられている。本実施の形態では、駆動モータ６０の回転力はスクリュー部材４２０に供給される。
【００３６】
本実施の形態によれば、ナット部材４１０は洗浄用ノズル４０と一体的に形成されていて、スクリュー部材４２０に螺合している。一方、スクリュー部材４２０は、ノズル機構３０の本体３１に回転可能に支持され、ナット部材４１０を繰り出し繰り込み可能なものである。また、スクリュー部材４２０は、そのスクリュー軸が洗浄用ノズル４０の移動方向に沿うように配されている。
【００３７】
ノズル機構３０の本体３１の前端部および後端部には第１エンド部材３２および第２エンド部材３５が設けられている。第１エンド部材３２には、バイパス流路１１２が接続され、洗浄用ノズル４０を移動可能に嵌合支持する支持部３３と、スクリュー部材４２０の前端部を回転可能に支持する軸受け部３４とが形成されている。
【００３８】
また、第２エンド部材３５には、スクリュー部材４２０の後端部を回転可能に支持する軸受け部３６が形成されている。スクリュー部材４２０の後端面には連結孔３７が形成されている。連結孔３７の孔周壁には回転止め用のキー溝やセレーションが施されている。
【００３９】
ノズル機構３０は、洗浄用ノズル４０を所定位置に駆動するためのノズル駆動手段４００と、洗浄用ノズル４０内の各所定の水路を切り替えて水または温水を送出可能な流路切替弁５０と、その流路切替弁５０を駆動するための弁駆動手段５００とを備えている。動力源である駆動モータ６０は、ノズル駆動手段４００および前記弁駆動手段５００により共用されるものである。
【００４０】
ノズル駆動手段４００は、洗浄用ノズル４０を没入した待機位置と伸出した洗浄位置との間を駆動させるとともに、洗浄用ノズル４０を待機位置と待機位置からさらに没入した収納位置との間を駆動させるものである。
【００４１】
また、ノズル機構３０は、駆動モータ６０から洗浄用ノズル４０への第１動力伝達経路を構成可能な第１動力伝達軸４３０と、駆動モータ６０から流路切替弁５０への第２動力伝達経路を構成可能な第２動力伝達軸５３０とを有している。
第１動力伝達軸４３０および第２動力伝達軸５３０はノズル機構３０の本体３１の第２エンド部材３６内に設けられている。
【００４２】
さらに、ノズル機構３０は、駆動モータ６０からノズル駆動手段４００または弁駆動手段５００のいずれか一方への動力伝達経路を接続すると、ノズル駆動手段４００または弁駆動手段５００の他方への動力伝達経路が切断されるようにしたクラッチ手段６００を備えている。
【００４３】
具体的には、第１動力伝達軸４３０がスクリュー部材４２０の連結孔３７に嵌合することで、第１動力伝達軸４３０が第１動力伝達経路内に移動することになる一方、連結孔３７から外れることで、第１動力伝達軸４３０が第１動力伝達経路外に移動することになる。
【００４４】
また、第２動力伝達軸５３０が回転軸５６の連結孔（図示省略）に嵌合することで、第２動力伝達軸５３０が第２動力伝達経路内に移動することになる一方、回転軸５６の連結孔（図示省略）から外れることで、第２動力伝達軸５３０が第２動力伝経路外に移動することになる。
【００４５】
第１動力伝達軸４３０は第１動力伝達経路内の方向へ付勢されている。本実施の形態では、第１動力伝達軸４３０は、後述する第１ギア４４０と駆動モータ６０のハウジングと間に介装されたコイルばね（図示省略）によって付勢されている。
【００４６】
クラッチ手段６００は、洗浄用ノズル４０と共に移動するものであって、前記コイルばねの付勢力に抗して、第１動力伝達軸４３０を駆動して、第１動力伝達軸４３０を第１動力伝達経路外に駆動するものである。
【００４７】
クラッチ手段６００は、洗浄用ノズル４０と共に移動することで、前記コイルばねの付勢力に抗して第１動力伝達軸４３０を駆動するクラッチ部材６１０を有している。
【００４８】
図４および図５から判るように、クラッチ部材６１０は洗浄用ノズル４０に固設されている。また、クラッチ部材６１０は、スクリュー部材４２０の後端部の径より大きな径の円弧形状に凹入していて、スクリュー部材４２０の後端部に干渉することなく、第１動力伝達軸４３０を第１位置から第２位置に駆動可能に成っている。クラッチ部材６１０は洗浄用ノズル４０と一体的に形成されてもよい。
【００４９】
第２動力伝達経路は、第１動力伝達軸４３０と一体的に回転する第１ギア４４０と、第２動力伝達軸５３０と一体的に回転する第２ギア５４０とから構成可能なものである。第１ギア４４０と第２ギア５４０とは相互に噛合している。第１ギア４４０および第２ギア５４０もノズル機構３０の本体３１の第２エンド部材３６内に設けられている。
【００５０】
流路切替弁５０は、３つの通水孔（図示省略）が形成されたステータ５１と、１つの通水孔（図示省略）が形成されたロータ５５とを有している。ステータ５１およびロータ５５は弁室内に設けられ、弁室内にはメイン路１１１から温水が供給されるようになっている。
【００５１】
第２動力伝達軸５３０は、ロータ５５の通水孔とステータ５１の３つの通水孔中の１つとを合わせるべくロータ５５を各所定の角度位置に回動するものである。ステータ５１の３つの通水孔は、各所定の水路に対応している。
【００５２】
ロータ５５の回転軸は、洗浄用ノズル４０内に回転可能に支持され、ロータ５５の回転軸には第２動力伝達軸５３０に対向して連結孔（図示省略）が形成されている。ロータ５５の連結孔の孔周壁には回転止め用のキー溝やセレーションが施されている。第２動力伝達軸５３０は、ロータ５５の連結孔に嵌脱して回転力をロータ５５に伝達可能なものである。
【００５３】
図１は本発明の一実施の形態に係る衛生洗浄装置のノズルヘッドおよびノズルカバーの縦断面図、図６はノズルヘッドを斜め上方から見たときの部分分解斜視図、図７はノズルヘッドを斜め下方から見たときの部分分解斜視図、図８はノズルヘッドの第３水路を含むようにして破断したときの断面図、図９はノズルヘッドの縦断面である。
【００５４】
図１および図６〜図９に示すように、ノズルヘッド４２は、その基端部にヘッドピース４２１を溶着して成る。ヘッドピース４２１の基端側にはお尻ハード洗浄用の噴出孔である第１噴出孔４５１が穿設され、ヘッドピース４２１の先端側にはビデ洗浄用の噴出孔である第２噴出孔４６１が穿設されている。ノズルヘッド４２の基端部およびヘッドピース４２１には、第１水路４５および第２水路４６が形成され、給水口４５が第１噴出孔４５１に連通し、第２水路４６が第２噴出孔４６１に連通している。
【００５５】
第１水路４５は、ノズルヘッド４２の下部に延設され、さらにヘッドピース４２１の下部から略上方の第１噴出孔４５１に延設されている。また、第２水路４６は、ヘッドピース４２１の上部に延設され、さらに第１噴出孔４５１を迂回するようにして第２噴出孔４６１に延設されている。
【００５６】
ヘッドピース４２１の下部から略上方の第１噴出孔４５１に延設される第１水路４５の終端部４５２には、その第１水路４５の終端部４５２の一般径より小径の孔であるオリフィス４５３が形成されている。オリフィス４５３の入口４５４は、略下方に向かって開設され、オリフィス４５３の入口４５４の周縁には面取り部４５５が形成されている。具体的には、入口４５４の面取り部４５５は、所定半径の円弧状断面形状に、あるいは、所定量角取りされた断面形状に形成されるものである。
【００５７】
ノズルヘッド４２のヘッドピース４２１の下面は、その下面側からオリフィス４５３の入口４５４に向かって略上方向に穿たれ、オリフィス４５３の少なくとも面取り部４５５を成形するための成形用の孔４５６を有している。成形用の孔４５６は、裏蓋部材７０により下方から塞がれている。
【００５８】
また、本実施の形態においては、ノズルヘッド４２のヘッドピース４２１の第１噴出孔４５１より先端側の位置であって、第２噴出孔４６１の手前側の位置にお尻ソフト洗浄用の噴出孔である第３噴出孔４７１が設けられている。第１噴出孔４５１からの吐水水勢は比較的強いものであるが、第３噴出孔４７１からの吐水は局部への刺激の少ないソフト感のあるものである。
【００５９】
また、ノズルヘッド４２の基端部およびヘッドピース４２１の上部には第３水路４７が形成され、第３水路４７が第３噴出孔４７１に連通している。このように、ノズルヘッド４２の基端部およびヘッドピース４２１の上部に第２水路４６および第３水路４７が形成されている構成では、第１水路４５は、ヘッドピース４２１の下部から第２水路４６と第３水路４７との間の隙間を通って、第１噴出孔４５１に延設されるようになる。
【００６０】
このように、ヘッドピース４２１の噴出孔部材４２３に３つの噴出孔である第１噴出孔４５１、第２噴出孔４６１および第３噴出孔４７１が穿設された構成では、その３つの噴出孔に対応して３つの貫通孔４１５、４１６、４１７がノズルカバー４１にそれぞれ穿設されている。また、ノズルカバー４１は抗菌材を含んだ樹脂材で成形されている。
【００６１】
具体的には、ノズルヘッド４２の基端部に形成された第１水路４５〜第３水路４７は、ノズルヘッド４２の先端部を構成するヘッドピース４２１にも連続して形成されている。
【００６２】
すなわち、ヘッドピース４２１は、第１水路４５の終端部４５２、第２水路４６の終端部４６２および、第３水路４７の終端部４７２が形成された水路部材４２２と、第１噴出孔４５１、第２噴出孔４６１および第３噴出孔４７１が形成された噴出孔部材４２３とを有している。
【００６３】
第２水路４６の終端部４６２は、第１噴出孔４５１の両側の一方側を迂回するように延設され、かつ、ヘッドピース４２１の上部と下部との間の中央位置まで下がるように延設されている。同じく、第３水路４７の終端部４７２は、第１噴出孔４５１の両側の他方側を迂回するように延設され、かつ、ヘッドピース４２１の上部と下部との間の中央位置まで下がるように延設されている。
【００６４】
噴出孔部材４２３は、水路部材４２２に上方から重ね合わせられ、かつ、溶着されるものである。噴出孔部材４２３が水路部材４２２に上方から重なり合うことで、第２水路４６の終端部４６２を成す略Ｕ字状断面形状の水路溝４６６の溝口および、第３水路４７の終端部４７２を成す略Ｕ字状断面形状の水路溝４７６の溝口が塞がれている。
また、第２水路４６の終端部４６２は、流入してきた洗浄水が旋回するように円形断面形状の水路に形成されている。同じく、第３水路４７の終端部４７２も、流入してきた洗浄水が旋回するように円形断面形状の水路に形成されている。さらに、第２水路４６の終端部４６２の円形断面形状の水路の入口４６７は、流入してきた洗浄水の流入方向に対して略直交する方向に開設され、かつ、開口巾が狭まっている。また、第３水路４７の終端部４７２の円形断面形状の水路の中心には旋回中心となる凸部４７７が形成されている。
【００６５】
次に本発明の作用を説明する。
ノズルヘッド４２の組立時において、予め、ヘッドピース４２０を組み立てるには、水路部材４２２に噴出孔部材４２３を上方から重ね合わせるようにして溶着する。このとき、水路部材４２２に形成された第１水路４５の終端部４５２、第２水路４６の終端部４６２および第３水路４７の終端部４７２に、噴出孔部材４２３に穿設された、第１噴出孔４５１、第２噴出孔４６１および第３噴出孔４７１が対応するようになる。
【００６６】
また、噴出孔部材４２３を重ね合わせる前において、水路部材４２２に形成された第２水路４６の終端部４６２および第３水路４７の終端部４７２は、それぞれ略Ｕ字状断面形状の水路溝４６６および水路溝４７６であり、その水路溝４６６および水路溝４７６の各溝口が開いているが、水路部材４２２に上方から重ね合わせられる噴出孔部材４２３によって、水路溝４６６および水路溝４７６の各溝口が塞がれ、第２水路４６および第３水路４７としての機能を有するようになる。
【００６７】
このように組み立てられたヘッドピース４２１はノズルヘッド４２の基端部側に溶着され、さらに、そのノズルヘッド４２にノズルカバー４１を外嵌し、ノズルヘッド４２を外部から覆うようにして洗浄用ノズル４０が組み立てられる。
【００６８】
衛生洗浄装置１０を使用しない場合、洗浄用ノズル４０は、後方に引っ込んだ待機位置にある。このとき、ノズル駆動手段４００および弁駆動手段５００は、動力源６０からの動力が供給されておらず、共にその作動を停止した状態にある。すなわち、ナット部材４１０は回転停止しており、また、このとき、ロータ５５は基準の角度位置にある。
【００６９】
便器１に着座した使用者がお尻を洗浄する場合、駆動モータ６０によってスクリュー部材４２０を回転する。スクリュー部材４２０がナット部材４１０に対して相対的に所定方向に所定の回転量だけ回転すると、ナット部材４１０が繰り込まれて、洗浄用ノズル４０が待機位置からさらに引っ込んだ収納位置に移動する。このとき、洗浄用ノズル４０と共にクラッチ手段６００のクラッチ部材６１０が移動し、クラッチ部材６１０がコイルばね（図示省略）の付勢力に抗して第１動力伝達軸４３０を第１位置から第２位置に駆動する。
【００７０】
洗浄用ノズル４０が収納位置にあるとき、第１動力伝達軸４３０がスクリュー部材４２０の連結孔３７から外れて、第１駆動伝達路外に移動している。それにより、駆動モータ６０からノズル駆動手段４００への動力の供給が不能になる。一方、第２動力伝達軸５３０が回転軸５６の連結孔（図示省略）に嵌合し、第２伝達経路内に移動する。それにより、駆動モータ６０から弁駆動手段５００への動力の供給が可能になる。
【００７１】
駆動モータ６０から弁駆動手段５００への動力の供給が開始されると、弁駆動手段５００が作動開始し、第１ギア４４０が回転し、第１ギア４４０に噛合する第２ギア５４０が所定方向に所定量回転し、ロータ５５が所定位置に回転し、流路切替弁５０が所定の切替状態になると、駆動モータ６０の動力供給が停止する。ロータ５５が前記所定位置に回転することで、ステータ５１の通水孔、ロータ５５の通水孔、および第１水路４５が連通した状態になる。
【００７２】
このようにして、流路切替弁５０を所定の切替状態にした後に、駆動モータ６０が逆転すると、スクリュー部材４２０がナット部材４１０を繰り出し、洗浄用ノズル４０が収納位置から待機位置に移動する。このとき、洗浄用ノズル４０と共にクラッチ手段６００のクラッチ部材６１０が移動して、第１動力伝達軸４３０から離れ、第１動力伝達軸４３０がコイルばね（図示省略）の付勢力により、第２位置から第１位置に戻る。それにより、第１動力伝達軸４３０がスクリュー部材４２０の連結孔３７に嵌合して、第１駆動伝達路内に移動し、それにより、駆動モータ６０からノズル駆動手段４００への動力の供給が可能になる。
【００７３】
一方、洗浄用ノズル４０が収納位置から少しでも待機位置の方へ移動すると、第２動力伝達軸５３０が回転軸５６の連結孔（図示省略）から外れ、第２伝達経路外に移動する。それにより、駆動モータ６０から弁駆動手段５００への動力の供給が不能になる。
【００７４】
駆動モータ６０からノズル駆動手段４００への動力の供給が開始されると、ノズル駆動手段４００が作動開始し、スクリュー部材４２０がナット部材４１０を繰り出し、洗浄用ノズル４０は収納位置から待機位置に、さらに伸出した所定の洗浄位置に移動する。その後、駆動モータ６０からノズル駆動手段４００への動力の供給が停止され、ノズル駆動手段４００は作動停止する。
【００７５】
次に、給水源から供給された洗浄水は、所定の切替状態（ステータ５１の通水孔、ロータ５５の通水孔、および水路４５が連通した状態）に切り替えられた流路切替弁５０を通って、ノズルヘッド４２内の水路４５に流入し、お尻ハード洗浄用の噴出孔である第１噴出孔４５１から噴出するようになる。
【００７６】
このように、使用者がお尻を洗浄する場合において、洗浄水は、ノズルヘッド４２の下部に延設された第１水路４５を流れ、やがて第１水路４５の終端部４５２において、略上方に流れを変えてから空気孔４５７から取り込んだ空気と共に第１噴出孔４５１を通って噴出するようになる。
【００７７】
第１水路４５がノズルヘッド４２のヘッドピース４２１の下部（水路部材４２２）に延設されているので、洗浄水は、ヘッドピース４２１の下部から略上方の第１噴出孔４５１に向かって流れるようになるため、ヘッドピース４２１の下部から第１噴出孔４５１の設けられたヘッドピース４２１の上面までの区間である第１水路４５の終端部４５２を長めにとることができ、例えば、長めのオリフィス４５３を形成することができ、その長めの区間中で、洗浄水の流れの乱れを十分に抑えて安定させることができる。
【００７８】
それにより、洗浄水が第１噴出孔４５１から所定方向に噴出し、かつ、噴出する洗浄水が分散し過ぎることがなく、十分な強さで安定して噴出するようになる。また、第１噴出孔４５１の終端部４５２の水路径を適宜設定して、洗浄水の吐水量を調整することができる。
【００７９】
お尻洗浄が終了した場合に、駆動モータ６０を所定方向に所定量回転し、洗浄用ノズル４０を洗浄位置から待機位置に移動し、さらに収納位置に移動し、第１動力伝達軸４３０を第１位置から第２位置に駆動して、駆動モータ６０から弁駆動手段５００への動力の供給を可能にし、弁駆動手段５００を作動し、第１ギア４４０〜第２ギア５４０を回転させ、第２動力伝達軸５３０により、ロータ５５を基準の角度位置に回転し、流路切替弁５０を初期状態に戻しておく。また、駆動モータ６０を回転し、洗浄用ノズル４０を収納位置から待機位置に戻しておく。以上、お尻を洗浄する場合を説明したが、ビデ洗浄やお尻ソフト洗浄（やわらか洗浄）も同様に行う。
すなわち、ビデ洗浄の場合は、クラッチ手段６００のクラッチ部材６１０によって第１動力伝達軸４３０を第１位置から第２位置に駆動して、駆動モータ６０から弁駆動手段５００への動力の供給を可能にし、駆動モータ６０の回転により、ロータ５５を基準位置からビデ状態の間の所定位置に回転する。
【００８０】
このとき、ステータ５１の通水孔、ロータ５５の通水孔、および第２水路４６が連通した状態になる。流路切替弁５０が所定の切替状態になると、駆動モータ６０を回転停止し、その後、駆動モータ６０を逆転し、第１動力伝達軸４３０を第２位置から第１位置に戻して、洗浄用ノズル４０を収納位置から待機位置に移動し、さらに所定の洗浄位置に伸出させればよい。ビデ洗浄において、第２水路４６を流れる洗浄水は、第１噴出孔４５１を迂回するように流れ、やがて、第２噴出孔４６１を通って噴出するようになる。ビデ洗浄後に、洗浄用ノズル４０を洗浄位置から待機位置に移動し、さらに収納位置に移動し、ロータ５５を基準の角度位置に回して、流路切替弁５０を初期状態にしておき、また、洗浄用ノズル４０を収納位置から待機位置に戻しておく。
【００８１】
また、お尻ソフト洗浄（やわらか洗浄）の場合は、ロータ５５を基準位置からお尻ソフト洗浄状態の間の所定位置に回転し、ステータ５１の通水孔、ロータ５５の通水孔、および第３水路４７を連通した状態にすればよい。
【００８２】
ヘッドピース４２１の噴出部材４２３の第１噴出孔４５１より先端側の位置に第３噴出孔４７１が設けられ、ヘッドピース４２１の上部に延設された第３水路４７が、第１噴出孔４５１を迂回して第３噴出孔４７１に延設されているので、同じく、第１水路４５の終端部４５２を長くすることに、第３水路４７が支障にならず、第１水路４５の終端部４５２を流れる洗浄水の乱れを抑えることができる。お尻ソフト洗浄において、第３水路４７を流れる洗浄水は、第１噴出孔４５１を迂回するように流れ、やがて、第３噴出孔４７１を通って噴出するようになる。
【００８３】
以上、お尻洗浄、ビデ洗浄および、お尻ソフト洗浄（やわらか洗浄）の場合を説明したが、噴出される洗浄水の方向性や強さが特に要求されるお尻洗浄をさらに詳細に説明する。
【００８４】
お尻洗浄においては、洗浄水は第１水路４５を流れ、やがて、第１水路４５の終端部４５２に形成されたオリフィス４５３に流れ込み、オリフィス４５３を通ることによって、第１噴出孔４５１から洗浄水が所定方向に噴出し、かつ、所定の強さで噴出する。
【００８５】
また、洗浄水がオリフィス４５３の入口４５４に流れ込むと、入口４５４の周縁には面取り部４５５が施されているので、洗浄水がオリフィス４５３内に滑らかに流れ込む。それにより、オリフィス４５３の入口４５４の周縁の近傍における洗浄水の流れの乱れを抑えることができるという効果を奏する。
【００８６】
一方、オリフィス４５３の入口４５４の周縁部に面取り部４５５を形成するには、次のように行う。
【００８７】
第１水路４５成形用のコアおよびオリフィス４５３成形用のコアが用意されているとき、第１水路４５がノズルヘッド４２のノズル軸に沿って延ばされ、かつ、オリフィス４５３の入口４５４が略下方（ノズル軸に対し略直交する方向）に開設されているから、ノズル軸に沿って進出する第１水路４５成形用のコアの進出方向および、上方から進出するオリフィス４５３成形用のコアの進出方向に対して、オリフィス４５３の入口４５４の面取り部４５５が面していない。
【００８８】
特に、オリフィス４５３成形用のコアの進出方向と同じ方向に、面取り部４５５の面が形成されているため、第１水路４５成形用のコアおよびオリフィス４５３成形用のコアのみでは、オリフィス４５３の入口４５４の面取り部４５５を成形することはできない。
【００８９】
しかしながら、本実施の形態では、ノズルヘッド４２の水路部材４２２の下面に、オリフィス４５３の入口４５４に向かって略上方向に成形用の孔４５６が穿設されているため、その成形用の孔４５６を形成するためのコアの進出方向に対して、面取り部４５５が面するようになり、当該コアで面取り部４５５を容易に成形することができる。
【００９０】
面取り部４５５を成形するための孔である成形用の孔４５６は、洗浄用ノズル４０の本来の機能としては不要なものであるから、ヘッドピース４２１の水路部材４２２に面取り部４５５の成形後は、裏蓋部材７０により下方から塞がれる。
【００９１】
なお、本実施の形態においては、ヘッドピース４２１の噴出孔部材４２３に３つの噴出孔４５１〜４７１が設けられ、ノズルヘッド４２に外嵌してそのノズルヘッド４２を外部から覆うようにしたノズルカバー４１にも、３つの貫通孔４１５〜４１７が穿設されているものを示したが、ノズルカバー４１は、ノズルヘッド４２に外嵌した際に第１噴出孔４５１、第２噴出孔４６１または第３噴出孔４７１の少なくとも１つを上方から覆うようにして、その第１噴出孔４５１、第２噴出孔４６１または第３噴出孔４７１の少なくとも１つから噴出した洗浄水を、塞がれていない第１噴出孔４５１、第２噴出孔４６１または前記第３噴出孔４７１の他方へ導くようにしてもよい。
【００９２】
例えば、ノズルヘッド４２に外嵌するノズルカバー４１が第３噴出孔４７１を上方から覆うようにすれば、第３噴出孔４７１から噴出した洗浄水が、ノズルカバー４１に遮られて上方へ噴出せず、ノズルカバー４１の内面と噴出孔部材４２３の上面との隙間を通って、第２噴出孔４６１および、第１噴出孔４５１へ導かれるようになる。このように導かれる洗浄水で、第２噴出孔４６１および、第１噴出孔４５１を洗浄することができる。
【００９３】
また、例えば、第１噴出孔４５１、第２噴出孔４６１および第３噴出孔４７１の３つを使い分ける第１の仕様のものと、第２噴出孔４６１あるいは第３噴出孔４７１の一方と第１噴出孔４５１との２つを使い分ける第２の仕様のものとを構成するときに、ノズルカバー４１以外を共用部品として用いることができ、多様な衛生洗浄装置を廉価で製作することができる。
【００９４】
また、前記実施の形態では、ノズルヘッド４２の基端部側に先端部であるヘッドピース４２１を溶着し、そのヘッドピース４２１を水路部材４２２と噴出孔部材４２３とから構成したものを示したが、ノズルヘッド４２の基端部側と水路部材４２２とを一体的に形成し、その水路部材４２２に噴出孔部材４２３を上方から重ね合わせるようにしてノズルヘッド４２を構成してもよい。
【００９５】
【発明の効果】
本発明に係る衛生洗浄装置におけるノズル機構によれば、ノズルヘッドの下部に形成された第１水路を流れる洗浄水が、ノズルヘッドの下部から略上方の第１噴出孔にその流れる方向を変えて、第１噴出孔から噴出するように構成したので、ノズルヘッドの下部から第１噴出孔の設けられたノズルヘッドの上面での区間を長めにとることができるようにし、その長めの区間である第１水路の終端部の中で、洗浄水の流れの乱れを十分に抑えることを可能にし、ノズルヘッドの基端側に設けられる第１噴出孔から洗浄水が所定方向に噴出し、かつ、噴出する洗浄水が分散し過ぎることがなく、所望の強さで安定して局部に当たるようにして、使用感を高めることができる。
【００９６】
また、そのオリフィスの入口の周縁には面取り部が施されているので、洗浄水がオリフィス内に滑らかに流れ込み、オリフィスの入口の周縁の近傍において、洗浄水の流れが乱れるのを抑えることができる。
【図面の簡単な説明】
【図１】本発明の一実施の形態に係るノズルヘッドおよびノズルカバーの縦断面図である。
【図２】本発明の一実施の形態に係る衛生洗浄装置の斜視図である。
【図３】本発明の一実施の形態に係る衛生洗浄装置の給水路の概念図である。
【図４】本発明の一実施の形態に係る衛生洗浄装置のノズル機構の斜視図である。
【図５】本発明の一実施の形態に係る衛生洗浄装置のノズル機構の分解斜視図である。
【図６】本発明の一実施の形態に係るノズルヘッドを斜め上方から見たときの部分分解斜視図である。
【図７】同じく、ノズルヘッドを斜め下方から見たときの部分分解斜視図である。
【図８】本発明の一実施の形態に係るノズルヘッドの第３水路を含むようにして破断したときの断面図である。
【図９】本発明の一実施の形態に係るノズルヘッドの縦断面である。
【図１０】従来例に係る衛生洗浄装置の洗浄用ノズルの平面図である。
【図１１】従来例に係る衛生洗浄装置のノズルヘッドの部分分解斜視図である。
【図１２】従来例に係る衛生洗浄装置の洗浄用ノズルの部分縦断面図である。
【符号の説明】
１０…衛生洗浄装置
１０ａ…ケーシング本体
２０…熱交換ユニット
２１…貯湯タンク
２２…ヒータ
３０…ノズル機構
３１…本体
３２…第１エンド部材
３３…支持部
３４…軸受け部
３５…第２エンド部材
３６…軸受け部
３７…連結孔
４０…洗浄用ノズル
４１…ノズルカバー
４２…ノズルヘッド
４５…第１水路
４６…第２水路
４７…第３水路
４８…給水口
５０…流路切替弁
５１…ステータ
５５…ロータ
６０…駆動モータ
７０…裏蓋部材
１１１…メイン路
１１２…バイパス路
１２０…流量調節ユニット
４００…ノズル駆動手段
４１０…ナット部材
４１５、４１６、４１７…貫通孔
４２０…スクリュー部材
４２１…ヘッドピース
４２２…水路部材
４２３…噴出孔部材
４３０…第１動力伝達軸
４４０…第１ギア
４５１…第１噴出孔
４５２…終端部
４５３…オリフィス
４５４…入口
４５５…面取り部
４５６…成形用の孔
４６１…第２噴出孔
４６２…終端部
４６６…水路溝
４６７…入口
４７１…第３噴出孔
４７２…終端部
４７６…水路溝
４７７…凸部
５００…弁駆動手段
５３０…第２動力伝達軸
６００…クラッチ手段
６１０…クラッチ部材
【図１】
0004640896.tif 000002
【図２】
0004640896.tif 000003
【図３】
0004640896.tif 000004
【図４】
0004640896.tif 000005
【図５】
0004640896.tif 000006
【図６】
0004640896.tif 000007
【図７】
0004640896.tif 000008
【図８】
0004640896.tif 000009
【図９】
0004640896.tif 000010
【図１０】
0004640896.tif 000011
【図１１】
0004640896.tif 000012
【図１２】
0004640896.tif 000013